(57)【要約】【課題】  アイマスクと耳栓を結合し、アイマスクの装着と耳栓の装着を同時に行うことができる耳栓付きアイマスクを提供すること。【解決手段】  アイマスク本体１１と、第１および第２の耳栓３１、４１と、第１の耳栓３１をアイマスク本体１１の一方の側部１３に繋ぐ第１の紐状体５１と、第２の耳栓４１をアイマスク本体１１の他方の側部１４に繋ぐ第２の紐状体５１とを備え、第１の耳栓３１を一方の耳に装着し、第２の耳栓４１を他方の耳に装着したときに、アイマスク本体１１が目を覆うように装着されることを特徴とする耳栓付きアイマスク。さらに、第１の紐状体５１が第１の面ファスナー２１によりアイマスク本体１１の一方の側部１３に着脱自在に取付けられ、第２の紐状体５２が第２の面ファスナー２６によりアイマスク本体１１の他方の側部１４に着脱自在に取付けられること。【選択図】        図１
2005254022.tif 000002
【特許請求の範囲】
【請求項１】
アイマスク本体と、第１および第２の耳栓と、前記第１の耳栓を前記アイマスク本体の一方の側部に繋ぐ第１の紐状体と、前記第２の耳栓を前記アイマスク本体の他方の側部に繋ぐ第２の紐状体とを備え、
前記第１の耳栓を一方の耳に装着し、前記第２の耳栓を他方の耳に装着したときに、前記アイマスク本体が目を覆うように装着されることを特徴とする耳栓付きアイマスク。
【請求項２】
請求項１記載の耳栓付きアイマスクであって、
前記第１の紐状体が第１の面ファスナーにより前記アイマスク本体の一方の側部に着脱自在に取付けられ、前記第２の紐状体が第２の面ファスナーにより前記アイマスク本体の他方の側部に着脱自在に取付けられることを特徴とする耳栓付きアイマスク。
【発明の詳細な説明】
【技術分野】
【０００１】
本発明は、仮眠時等に用いるアイマスクに関し、特に耳栓が付設された耳栓付きアイマスクに関するものである。
【背景技術】
【０００２】
従来のアイマスクにおいては、アイマスク本体の両端に紐または伸縮性のあるゴム紐によって耳掛けバンドを作り、この耳掛けバンドを耳殻に掛けられるように設けたものがある（例えば特許文献１参照）。さらに、アイマスク本体の両端を紐または伸縮性のあるゴム紐によって繋いで、頭部に掛けられるバンドを形成したものもある（例えば特許文献２参照）。
【特許文献１】特開２００４−２５４９９４号公報
【特許文献２】特開２００４−２８３４５１号公報
【発明の開示】
【発明が解決しようとする課題】
【０００３】
しかし、上述の従来例では、アイマスクを単独で使用することができるのみである。このため、仮眠等をする場合に、アイマスクにより目に外部の光が入らないようにすることはできるが、外部の音が耳に入ることまでは遮断することができず、快適な仮眠等のための環境を整えるためには、別途、耳に耳栓をする必要があった。
また、アイマスクと耳栓を同時に使用する場合には、アイマスクの耳掛けバンド等によりアイマスクを装着するとともに、別途耳栓を耳に装着する必要があった。
そこで、本発明が解決しようとする課題は、アイマスクと耳栓を結合し、アイマスクの装着と耳栓の装着を同時に行うことができる耳栓付きアイマスクを提供することである。
【課題を解決するための手段】
【０００４】
上記課題を解決するため、請求項１記載の発明は、アイマスク本体と、第１および第２の耳栓と、前記第１の耳栓を前記アイマスク本体の一方の側部に繋ぐ第１の紐状体と、前記第２の耳栓を前記アイマスク本体の他方の側部に繋ぐ第２の紐状体とを備え、前記第１の耳栓を一方の耳に装着し、前記第２の耳栓を他方の耳に装着したときに、前記アイマスク本体が目を覆うように装着されることを特徴とする耳栓付きアイマスクである。
これにより、アイマスク本体の一方の側部に第１の紐状体で繋がれた第１の耳栓を一方の耳に装着し、アイマスク本体の他方の側部に第２の紐状体で繋がれた第２の耳栓を他方の耳に装着することにより、前記アイマスク本体が目を覆うように装着される。
【０００５】
さらに、請求項２記載の発明は、請求項１記載の耳栓付きアイマスクであって、前記第１の紐状体が第１の面ファスナーにより前記アイマスク本体の一方の側部に着脱自在に取付けられ、前記第２の紐状体が第２の面ファスナーにより前記アイマスク本体の他方の側部に着脱自在に取付けられることを特徴とする耳栓付きアイマスクである。
これにより、前記第１の紐状体が第１の面ファスナーにより前記アイマスク本体の一方の側部に着脱自在に取付けられるので、前記第１の紐状体の前記アイマスク本体の一方の側部の取付け個所を調節することができる。同様に、前記第２の紐状体が第２の面ファスナーにより前記アイマスク本体の他方の側部に着脱自在に取付けられるので、前記第２の紐状体の前記アイマスク本体の他方の側部の取付け個所を調節することができる。なお、上記第１および第２の面ファスナーの前記アイマスク本体側の部分（雄材または雌材）は連結または一体に形成されていてもよい。
【発明の効果】
【０００６】
請求項１記載の発明によれば、アイマスクの装着と耳栓の装着を同時に行うことができる。
さらに、請求項２記載の発明によれば、請求項１記載の発明の効果とともに、アイマスクを装着する人の目から耳までの距離に対応させてアイマスク本体から耳栓までの距離を調節することができる。
【発明を実施するための最良の形態】
【０００７】
以下、本発明における実施の形態を図面に基づいて説明する。図１は本発明の実施の形態に係る耳栓付きアイマスクの正面を示し、図２は図１のアイマスクの裏面を示し、図３は図１の耳栓の断面を示す。さらに、図４は耳栓の第１変形例を示し、図５は耳栓の第２変形例を示す。図６は図１の耳栓付きアイマスクの使用状態を示す。
【０００８】
図１に示すように、アイマスク１０はアイマスク本体１１と、第１の耳栓３１、第２の耳栓４１と、第１の耳栓３１をアイマスク本体１１の表面１２の一方の側部１３に繋ぐ第１の紐状体５１と、第２の耳栓４１をアイマスク本体１１の表面１２の他方の側部１４に繋ぐ第２の紐状体５２とを備えている。
図２に示すように、アイマスク本体１１の裏面１５の下部には鼻当て部１６が付設されている。なお、アイマスク本体１１の表面１２（図１参照）と裏面１５は縁部１７で縁取られている。また、第１および第２の紐状体５１、５２は、例えば伸縮しない通常の紐、伸縮可能なゴム紐等である。
また、図１に示すように、第１の紐状体５１が金具２４を介して第１の面ファスナー２１によりアイマスク本体１１の一方の側部１３に着脱自在に取付けられ、第２の紐状体５２が金具２９を介して第２の面ファスナー２６によりアイマスク本体１１の他方の側部１４に着脱自在に取付けられている。
具体的には第１の面ファスナー２１は、シート状雌材２２およびシート状雌材２２に着脱自在に取付け可能なシート状雄材２３を有している。シート状雌材２２はアイマスク本体１１の表面１２の一方の側部１３に接着剤または縫製等により貼着され、シート状雄材２３には金具２４を介して第１の紐状体５１の一端が連結されている。同様に、具体的には第２の面ファスナー２６は、シート状雌材２７およびシート状雌材２７に着脱自在に取付け可能なシート状雄材２８を有している。シート状雌材２７はアイマスク本体１１の表面１２の他方の側部１４に接着剤または縫製等により貼着され、シート状雄材２８には金具２９を介して第２の紐状体５２の一端が連結されている。
【０００９】
図６に示すように、アイマスク本体１１を顔８０の目８２に当てて、第１の耳栓３１を一方の耳８１の外耳道に装着し、第２の耳栓４１を図示しない他方の耳の外耳道に装着したときに、アイマスク本体１１が目８２を覆うように装着される。なお、このとき、鼻当て部１６（図２参照）が鼻８３に当接する。
【００１０】
図３に示すように、第１の耳栓３１は柔軟な合成樹脂でほぼ棒状に形成され、その基部３２の中央部には穴３４が形成され、この穴３４に第１の紐状体５１の他端部が差し込まれて接着剤により接着されている。なお、第１の耳栓３１の先端部３３は丸く形成され、基部３２の端部には張出部３５が形成されている。この張出部３５により、一方の耳８１に装着された第１の耳栓３１が第１の紐状体５１に引っ張られたときに第１の耳栓３１の位置がずれないようにすることができる。また、第１の耳栓３１の基部３２と先端部３３の間の側面３６の長手方向（基部３２の中央と先端部３３を結ぶ方向）に垂直な断面は円形である。なお、第２の耳栓４１の構造は第１の耳栓３１と同様であり、図１に示すように、第２の耳栓４１の基部４２の穴に第２の紐状体５２の他端部が差し込まれて接着剤により接着されている。
【００１１】
図４に示すように、第１の変形例となる耳栓６１は、円形棒状であり、その基部６２には張出部がなく、先端６３と基部６２との間の側面６５は凹状に湾曲している。このため、耳栓６１を耳８１（図６参照）に装着したときに脱落しにくくなっている。そして、基部６２の穴６４に第１の紐状体５１の他端部が差し込まれて接着剤により接着されている。その他は第１の耳栓３１と同様である。
図５に示すように、第２の変形例となる耳栓７１は第１の変形例となる耳栓６１（図４参照）をさらに変形したものである。耳栓７１の基部７２と先端部７３の間の側面７５は図示上方に湾曲している。その他は耳栓６１と同様である。通常、耳８１の外耳道がその入口からやや上方に傾斜しているので、耳栓７１は耳８１の外耳道に装着しやすくなっている。なお、先端部７３は丸く形成され、基部７２には穴７４が形成され、穴７４に第１の紐状体５１の他端部が差し込まれて接着剤により接着されている。
【００１２】
上記構成のアイマスク１０は、以下の動作をする。
アイマスク本体１１の一方の側部１３に第１の紐状体５１で繋がれた第１の耳栓３１を一方の耳８１に装着し、アイマスク本体１１の他方の側部１４に第２の紐状体５２で繋がれた第２の耳栓４１を図示しない他方の耳に装着することにより、アイマスク本体１１が目８２を覆うように装着される。
さらに、第１の紐状体５１が第１の面ファスナー２１によりアイマスク本体１１の一方の側部１３に着脱自在に取付けられるので、第１の面ファスナー２１のシート状雌材２２に対するシート状雄材２３の取付け位置を調節することにより、第１の紐状体５１のアイマスク本体１１の一方の側部１３の取付け個所を調節することができる。同様に、第２の紐状体５２が第２の面ファスナー２６によりアイマスク本体１１の他方の側部１４に着脱自在に取付けられるので、第２の面ファスナー２６のシート状雌材２７に対するシート状雄材２８の取付け位置を調節することにより、第２の紐状体５２のアイマスク本体１１の他方の側部１４の取付け個所を調節することができる。
さらに、各耳栓３１、４１が使用により変形、磨耗等した場合には、各耳栓３１、４１、各シート状雄材２３、２８および各金具２４、２９の全体を新しいものと交換することもできる。
さらに、各耳栓３１、４１がアイマスク本体１１と連結されているので、各耳栓３１、４１を紛失するおそれもない。
さらに、アイマスクの装着時に耳掛けバンド等のバンドを使用しないため、バンドにより耳や頭部が圧迫されて、耳の痛みや頭痛が発生することもない。
【００１３】
なお、第１の面ファスナー２１および第２の面ファスナー２６のアイマスク本体１１側の部分（雄材または雌材）は連結または一体に形成されていてもよい。
また、アイマスク本体１１の表面１２の全てが第１および第２の面ファスナー２１、２６のシート状雌材となるループあるいはアーチ形の係合部を表面に多数有する布等で構成されていてもよい。さらに、アイマスク本体１１の表面１２の全てが第１および第２の面ファスナー２１、２６のシート状雄材で構成されていてもよい。
また、金具２４、２９の代わりに、金具２４、２９に相当するプラスチック製の連結部材を使用してもよい。さらに、金具２４、２９を省いて、第１の紐状体５１を直接第１の面ファスナー２１に繋ぎ、第２の紐状体５２を直接第２の面ファスナー２６に繋いでもよい。
また、各耳栓３１等は、接着剤を使用しないで、各紐状体５１等の他端部が差し込まれた状態で一体成形されていてもよい。
また、図３において、張出部３５の周囲は円弧状（側面３２の前記長手方向に垂直な円形の面の周囲に相当する。）であるが、これに限定されず、例えば楕円弧（側面３２の前記長手方向に垂直な楕円形の面の周囲に相当する。）でもよい。
また、図４において二点鎖線で示す張出部６６を形成してもよいし、図５において二点鎖線で示す張出部７６を形成してもよい。なお、各張出部６６、７６は図３の張出部３５に相当するものである。
また、図７に示すように、耳栓付きアイマスク１０からシート状雄材２３、２８を取り外し、代わりに、シート状雌材２２とシート状雄材２３ａとで第３の面ファスナー２１ａを構成し、シート状雌材２７とシート状雄材２８ａとで第４の面ファスナー２６ａを構成する。そして、シート状雄剤２３ａ、２８ａに金具２４ａ、２９ａを介して接続された第１耳掛けバンド５３および第２耳掛けバンド５４を使用することにより、耳栓の付加されていないアイマスク１０ａを構成することもできる。なお、各耳掛けバンド５３、５４は例えば伸縮しない通常の紐、伸縮可能なゴム紐等をループ状にしたものである。
上記に記載してきた、第１の面ファスナー２１（第３の面ファスナー２１ａ）および第２の面ファスナー２６（第４の面ファスナー２６ａ）の構成内容は、シート状雌材２２・２７およびシート状雄材２３（２３ａ）・２８（２８ａ）としたが、シート状雌材とシート状雄材の適用個所を入れ替え、第１の面ファスナー２１（第３の面ファスナー２１ａ）および第２の面ファスナー２６（第４の面ファスナー２６ａ）において、シート状雌材２２・２７の位置にシート状雄材を配設し、シート状雄材２３（２３ａ）・２８（２８ａ）の位置にシート状雌材を配設してもよい。なお、上記のように構成内容を変更しても構成内容の変更前と同一機能および同一性能を有することができる。
【図面の簡単な説明】
【００１４】
【図１】本発明の実施の形態に係る耳栓付きアイマスクを示す正面図である。
【図２】図１のアイマスクの裏面図である。
【図３】図１の耳栓の断面図である。
【図４】耳栓の第１変形例を示す部分図である。
【図５】耳栓の第２変形例を示す部分図である。
【図６】図１の耳栓付きアイマスクの使用状態を示す斜視図である。
【図７】図１のアイマスクの他の使用例を示す正面図である。
【符号の説明】
【００１５】
１０  アイマスク
１１  アイマスク本体
１３  一方の側部
１４  他方の側部
２１  第１の面ファスナー
２６  第２の面ファスナー
３１  第１の耳栓
４１  第２の耳栓
５１  第１の紐状体
５２  第２の紐状体
６１  第１変形例の耳栓
７１  第２変形例の耳栓
８１  一方の耳
８２  目
【図１】
2005254022.tif 000003
【図２】
2005254022.tif 000004
【図３】
2005254022.tif 000005
【図４】
2005254022.tif 000006
【図５】
2005254022.tif 000007
【図６】
2005254022.tif 000008
【図７】
2005254022.tif 000009